(57)【要約】【課題】プラズマディスプレイパネルを提供すること。【解決手段】背面基板１２１と、背面基板１２１に対向して配置される前面基板１１１と、前面基板１１１と背面基板１２１との間に配置され、複数個の放電セル１８０を区画形成する隔壁１３０と、前面基板１１１上に配置され、一方向に沿って延長されるバス電極１３１ｂ、及び各放電セル１８０毎にバス電極１３１ｂに電気的に接続され、各放電セル１８０の内側方向にそれぞれ突出されるように配置される複数個の突出電極１３１ａを備え、対を構成する維持電極１３１と、維持電極１３１を覆い各放電セル１８０に対応するように溝１４５が形成される前面誘電体層１１５と、維持電極１３１と交差するように延長され、背面基板１２１上に配置されるアドレス電極１２２とを備え、放電セル１８０の内側方向に対向する突出電極１３１ａの幅が溝１４５の幅より広いプラズマディスプレイパネルが提供される。【選択図】図２
2007184240.tif 000002
【特許請求の範囲】
【請求項１】
基板と；
前記基板上に配置され、一方向に沿って延長されるバス電極と、各放電セル毎に前記バス電極と電気的に接続され、各放電セルの内側方向にそれぞれ突出されるように配置される複数個の突出電極とを備え、対を構成する維持電極と；
前記維持電極を覆い、前記各放電セルに対応するように溝が形成されている誘電体層と；
を備え、
前記放電セルの内側方向に対向する前記突出電極の幅が前記溝の幅より広いことを特徴とする、プラズマディスプレイパネル。
【請求項２】
前記溝は、それぞれ前記対を構成する維持電極の間に形成されることを特徴とする、請求項１に記載のプラズマディスプレイパネル。
【請求項３】
前記溝は、それぞれ互いに対を構成する前記突出電極の間に形成されていることを特徴とする、請求項２に記載のプラズマディスプレイパネル。
【請求項４】
前記各放電セルに配置された前記突出電極と前記溝とは、互いに整列されるように配置されることを特徴とする、請求項３に記載のプラズマディスプレイパネル。
【請求項５】
前記溝は、実質的に長方形の横断面を有することを特徴とする、請求項１〜４のいずれかに記載のプラズマディスプレイパネル。
【請求項６】
前記溝は、前記基板が露出されるように形成されることを特徴とする、請求項１〜５のいずれかに記載のプラズマディスプレイパネル。
【請求項７】
前記各放電セル毎に１つの前記溝が形成されることを特徴とする、請求項１〜６のいずれかに記載のプラズマディスプレイパネル。
【請求項８】
前記突出電極は、透明な素材により形成されることを特徴とする、請求項１〜７のいずれかに記載のプラズマディスプレイパネル。
【請求項９】
背面基板と；
前記背面基板に対向して配置される前面基板と；
前記前面基板と前記背面基板との間に配置され、複数個の放電セルを区画形成する隔壁と；
前記前面基板上に配置され、一方向に沿って延長されるバス電極と、前記各放電セル毎に前記バス電極と電気的に接続され、前記各放電セルの内側方向にそれぞれ突出されるように配置される複数個の突出電極とを備え、対を構成する維持電極と；
前記維持電極を覆い、前記各放電セルに対応するように溝が形成される前面誘電体層と；
前記維持電極と交差するように延長され、前記背面基板上に配置されるアドレス電極と；
前記アドレス電極を覆うように形成される背面誘電体層と；
前記放電セル内に形成される蛍光体層と；
前記放電セル内に封入される放電ガスと；
を備え、
前記放電セルの内側方向に対向する前記突出電極の幅が、前記溝の幅より広いことを特徴とする、プラズマディスプレイパネル。
【請求項１０】
前記溝は、それぞれ前記対を構成する維持電極の間に形成されることを特徴とする、請求項９に記載のプラズマディスプレイパネル。
【請求項１１】
前記溝は、それぞれ互いに対を構成する前記突出電極の間に形成されることを特徴とする、請求項１０に記載のプラズマディスプレイパネル。
【請求項１２】
前記各放電セルに配置された前記突出電極と前記溝とは、互いに整列されるように配置されることを特徴とする、請求項１１に記載のプラズマディスプレイパネル。
【請求項１３】
前記溝は、実質的に長方形の横断面を有することを特徴とする、請求項９〜１２のいずれかに記載のプラズマディスプレイパネル。
【請求項１４】
前記溝は、前記基板が露出されるように形成されることを特徴とする、請求項９〜１３のいずれかに記載のプラズマディスプレイパネル。
【請求項１５】
前記各放電セル毎に１つの溝が形成されることを特徴とする、請求項９〜１４のいずれかに記載のプラズマディスプレイパネル。
【請求項１６】
前記突出電極は、透明な素材により形成されることを特徴とする、請求項９〜１５のいずれかに記載のプラズマディスプレイパネル。
【発明の詳細な説明】
【技術分野】
【０００１】
本発明は、プラズマディスプレイパネルにに関する。
【背景技術】
【０００２】
最近、従来の陰極線管ディスプレイ装置を代替すると注目を集めているプラズマディスプレイパネル（ＰＤＰ）は、複数個の電極が形成された２枚の基板の間に放電ガスが封入された後で放電電圧が加えられ、これによって発生する紫外線によって所定のパターンに形成された蛍光体が励起されて所望の画像を得る平板表示パネルである。
【０００３】
一般的な交流型ＰＤＰ１０は、図１に示すように、ユーザーに画像を示す上板５０と、これと平行に結合される下板６０とを備える。上板５０の前面基板１１上には、Ｙ電極３１とＸ電極３２とが対を構成する放電維持電極対１２が配置されており、前面基板１１に対向する下板６０の背面基板２１上には、アドレス電極２２がＹ電極３１及びＸ電極３２と交差するように配置されている。Ｙ電極３１及びＸ電極３２はそれぞれ、透明電極３１ａ、３２ａ及びバス電極３１ｂ、３２ｂを備える。このように配置された一対のＹ電極３１及びＸ電極３２と、これと交差するアドレス電極２２によって形成される空間が、単位放電セルとして１つの放電部を形成する。このように、前面基板１１及び背面基板２１の各面には、各電極を埋め込むように、それぞれ前面誘電体層１５及び背面誘電体層２５がそれぞれ形成されている。前面誘電体層１５上には、通常ＭｇＯからなる保護層１６が形成され、背面誘電体層２５の前面には、放電距離を維持し、放電セルの間の電気的光学的クロストークを防止する隔壁３０が形成されている。この隔壁３０の両側面と、隔壁３０が形成されない背面誘電体層２５の前面とには、蛍光体層２６が塗布されている。
【０００４】
【特許文献１】米国特許第５７４５０８６号明細書
【発明の開示】
【発明が解決しようとする課題】
【０００５】
上記のようなＰＤＰにおいて、輝度及び発光効率を向上させるためには、Ｙ電極３１とＸ電極３２との間の距離Ｇを拡大させなければならない。これは、放電領域を拡大させることによって、プラズマ放電を活発に発生させるためである。一方、距離Ｇが増大することによって、放電を開始するための電圧も上昇するという問題点がある。その場合、Ｙ電極３１及びＸ電極３２を駆動するための電子素子の定格電圧が上昇するため、コストが増加するという問題点がある。
【０００６】
そこで、本発明は、上記問題に鑑みてなされたものであり、本発明の目的とするところは、放電電圧を低下させ、発光効率及び放電安定性を向上させることが可能な、新規かつ改良されたプラズマディスプレイパネルを提供することにある。
【課題を解決するための手段】
【０００７】
上記課題を解決するために、本発明のある観点によれば、基板と、前記基板上に配置され、一方向に沿って延長されるバス電極、及び各放電セル毎にバス電極と電気的に接続され、各放電セルの内側方向にそれぞれ突出されるように配置される複数個の突出電極を備え、対を構成する維持電極と、維持電極を覆い、各放電セルに対応するように溝が形成されている誘電体層とを備え、放電セルの内側方向に対向する突出電極の幅が上記溝の幅より広いことを特徴とするプラズマディスプレイパネルが提供される。
【０００８】
また、上記溝は、それぞれ対を構成する維持電極の間に形成されてもよい。
【０００９】
さらに、上記溝は、それぞれ互いに対を構成する突出電極の間に形成されてもよい。
【００１０】
また、各放電セルに配置された突出電極と溝とは、互いに整列されるように配置されてもよい。
【００１１】
また、上記溝は、実質的に長方形の横断面を有するようにしてもよい。
【００１２】
また、上記溝は、基板が露出されるように形成されてもよい。
【００１３】
また、各放電セル毎に１つの溝が形成されるようにしてもよい。
【００１４】
また、突出電極は、透明な素材により形成されてもよい。
【００１５】
また、上記課題を解決するために、本発明の別の観点によれば、背面基板と、前記背面基板に対向して配置される前面基板と、前面基板と背面基板との間に配置され、複数個の放電セルを区画形成する隔壁と、前面基板上に配置され、一方向に沿って延長されるバス電極、及び各放電セル毎にバス電極に電気的に接続され、各放電セルの内側方向にそれぞれ突出されるように配置される複数個の突出電極を備え、対を構成する維持電極と、維持電極を覆い、各放電セルに対応するように溝が形成される前面誘電体層と、維持電極と交差するように延長され、背面基板上に配置されるアドレス電極と、アドレス電極を覆うように形成される背面誘電体層と、放電セル内に形成される蛍光体層と、放電セル内に封入される放電ガスとを備え、放電セルの内側方向に対向する突出電極の幅が溝の幅より広いことを特徴とするプラズマディスプレイパネルが提供される。
【００１６】
本発明において、上記溝は、それぞれ対を構成する維持電極の間に形成されてもよい。
【００１７】
このとき、上記溝は、それぞれ互いに対を構成する突出電極の間に形成されてもよい。
【００１８】
また、各放電セルに配置された突出電極と溝とは、互いに整列されるように配置されてもよい。
【００１９】
また、上記溝は、実質的に長方形の横断面を有するようにしてもよい。
【００２０】
また、上記溝は、基板が露出されるように形成されてもよい。
【００２１】
また、各放電セル毎に１つの溝が形成されるようにしてもよい。
【００２２】
また、突出電極は、透明な素材により形成されてもよい。
【発明の効果】
【００２３】
以上説明したように本発明によれば、放電電圧が低下し、発光効率及び放電安定性が向上する。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図２〜図４を参照すれば、本発明の好適な一実施形態によるＰＤＰ１００が示されている。図２は、ＰＤＰの内部構造を示す分離斜視図であり、図３は、図２のＩＩＩ−ＩＩＩ線に沿って切り取った断面図である。また、図４は、図２に示す放電セル１８０、電極１３１、１３２、１２２及び溝１４５の配置位置を示す配置図である。
【００２６】
図２に示すように、ＰＤＰ１００は、上板１５０と、これと平行に結合される下板１６０とを備える。上板１５０は、前面基板１１１、前面誘電体層１１５、維持電極対１１２及び保護層１１６を備え、下板１６０は、背面基板１２１、アドレス電極１２２、背面誘電体層１２５、隔壁１３０及び蛍光体層１２６を備える。
【００２７】
前記前面基板１１１と背面基板１２１とは、互いに所定の間隔に離隔されて配置され、それらの間に放電が発生する放電空間を定める。このような前面基板１１１及び背面基板１２１は、可視光透過率に優れたガラスなどを用いて形成されることが好ましい。しかし、明室コントラストの向上のために、前面基板１１１及び／または背面基板１２１が着色されてもよい。
【００２８】
前面基板１１１と背面基板１２１との間には、隔壁１３０が配置されているが、より詳しくは、隔壁１３０は、背面誘電体層１２５上に配置されている。このような隔壁１３０は、放電空間を複数個の放電セル１８０に区画し、放電セル１８０間の光学的／電気的クロストークを防止する機能を果たす。図２には、隔壁１３０が、長方形の横断面を有するマトリックス配列の放電セル１８０を区画するように示したが、本発明は、これに限定されない。すなわち、隔壁１３０は、放電セル１８０を三角形、五角形などの多角形、または円形、楕円形などの横断面を有するように形成するものであってもよく、ストライプのような開放型に形成するものであってもよい。また、隔壁１３０は、放電セル１８０をワッフルやデルタの配列に区画してもよい。
【００２９】
背面基板１２１に対向する前面基板１１１上には、維持電極対１１２が配置されている。各維持電極対１１２は、維持放電を起こすために前面基板１１１の背面に形成された一対の維持電極１３１、１３２であって、前面基板１１１上には、このような維持電極対１１２が所定の間隔で平行に配列されている。維持電極対１１２の一方の維持電極は、Ｘ電極１３１であって、共通電極の作用を有し、他の維持電極は、Ｙ電極１３２であって走査電極の作用を有する。本実施形態では、維持電極対１１２が前面基板１１１上に直接的に配置されるものとして説明するが、維持電極対１１２の配置位置は、これに限定されない。例えば、維持電極対１１２は、前面基板１１１から背面基板１２１に向かう方向に所定の間隔をおいて離隔されて配置されることもある。
【００３０】
Ｘ電極１３１及びＹ電極１３２のそれぞれは、突出電極１３１ａ、１３２ａ及びバス電極１３１ｂ、１３２ｂを備える。突出電極１３１ａ、１３２ａは、放電を起こすことができる導電体であって、蛍光体層１２６から放出される光が前面基板１１１に進むことを妨害しない透明な材料により形成される。このような材料としては、ＩＴＯ（酸化インジウム錫）などがある。しかしながら、ＩＴＯによって形成された突出電極は、長手方向への電圧降下が大きく、駆動電力の消費量が多く応答速度が遅くなる。これを改善するために、金属材質からなり、狭い幅で形成されるバス電極１３１ｂ、１３２ｂが、突出電極上に配置される。バス電極は、Ａｇ、Ａｌまたは、Ｃｕのような金属を用いて単層構造として形成されるが、Ｃｒ／Ａｌ／Ｃｒなどの多層構造を有するように形成されてもよい。このような突出電極及びバス電極は、フォトエッチング法、フォトリソグラフィ法などを用いて形成される。
【００３１】
Ｘ電極１３１及びＹ電極１３２の形状及び配置について詳細に述べると、バス電極１３１ｂ、１３２ｂは、所定の間隔に離隔されて平行に配置され、一方向に沿って配置されている放電セル１８０を横切って延長される。前述したように、各バス電極１３１ｂ、１３２ｂには、それぞれ突出電極１３１ａ、１３２ａが電気的に接続されるが、長方形の突出電極１３１ａ、１３２ａは、各放電セル１８０毎に不連続的に配置される。このような突出電極１３１ａ、１３２ａの一側は、バス電極１３１ｂ、１３２ｂに連結され、他側は、放電セル１８０の中心方向に向くように配置される。
【００３２】
また、突出電極は、多様な形状を有するように形成されることができる。図５には、全体的にハンマー状の形状を有するＸ電極２３１及びＹ電極２３２が示されている。Ｘ電極２３１及びＹ電極２３２のそれぞれは、複数個の突出電極２３１ａ、２３２ａ及びバス電極２３１ｂ、２３２ｂを備えている。Ｘ電極の突出電極２３１ａは、Ｘ電極のバス電極２３１ｂから放電セル１８０の内側方向に離隔されて配置される放電部２３１ａａ、及び放電部２３１ａａとＸ電極のバス電極２３１ｂとを連結する連結部２３１ａｂを備える。また、Ｙ電極の突出電極２３２ａも、Ｙ電極のバス電極２３２ｂから放電セル１８０の内側方向に離隔されて配置される放電部２３２ａａ、及び放電部２３２ａａとＹ電極のバス電極２３２ｂとを連結する連結部２３２ａｂを備える。Ｘ電極及びＹ電極の放電部２３１ａａ、２３２ａａは、ショートギャップを維持しているので、放電電圧を減少させる長所を有する。また、全体的に突出電極の面積を縮めることができる構造を有するので、可視光透過率を向上させることができるという長所を有する。
【００３３】
図２及び図３を参照すれば、前面基板１１１上には、維持電極対１１２を埋め込むように前面誘電体層１１５が形成されている。前面誘電体層１１５は、隣接したＸ電極１３１とＹ電極１３２とが互いに通電することを防止すると同時に、荷電粒子または電子が、Ｘ電極１３１とＹ電極１３２とに直接衝突してＸ電極１３１とＹ電極１３２とを損傷させることを防止する。また、前面誘電体層１１５は、電荷を誘導する機能を果たす。このような前面誘電体層１１５は、ＰｂＯ、Ｂ２Ｏ３、ＳｉＯ２などを用いて形成される。
【００３４】
対を構成するＸ電極１３１とＹ電極１３２との間の前面誘電体層１１５には、溝１４５が形成されている。溝１４５は、前面誘電体層１１５の所定の深さまで形成され、溝１４５の深さは、プラズマ放電による前面誘電体層１１５の破損の可能性、壁電荷の配置、放電電圧の大きさなどを考慮して決定される。例えば、溝１４５は、前面基板１１１が露出されるように形成されてもよい。
【００３５】
図２及び図４を参照すれば、各放電セル１８０毎に１つの溝１４５が対応するように形成されている。かかる溝１４５によって前面誘電体層１１５の厚さが縮小されるので、前方への可視光透過率が向上する。本実施形態で溝１４５は、実質的に正方形の横断面を有するように形成されているが、これに限定されず、多様な形状を有するように形成できる。
【００３６】
前述したように、Ｘ電極及びＹ電極の突出電極１３１ａ、１３２ａは、各放電セル１８０毎に不連続的に配置されている。かかる構造では、プラズマ放電時に放電セル１８０の内側に設けられる突出電極１３１ａ、１３２ａの頂点部分１５１、１５２に電界が集中する。ところで、このように頂点部分１５１、１５２に放電が集中する場合、放電を起こすＸ電極及びＹ電極の突出電極１３１ａ、１３２ａの間に不均一な電界が形成される問題点がある。かような不均一な電界の集中は、保護層１１６の塗布特性、蛍光体層１２６の塗布特性、隔壁１３０の不均一な形状などと連係して、意図せず放電状態を不安定にすることがある。さらに、Ｘ電極１３１とＹ電極１３２との間に溝１４５が形成されている場合、放電状態の不安定性は、さらに深化する可能性がある。これをさらに詳細に説明すれば次の通りである。溝１４５内では、電界が集中し、放電経路が縮小されるため、全体的に放電電圧が低下するという特性を有する。従って、突出電極の頂点部分１５１、１５２に対応する前面誘電体層の部分に溝が形成されている場合、電圧マージンの不安定性、不均一な壁電荷形成、及び非対称放電による放電不安定性は、さらに深化する可能性がある。
【００３７】
かかる問題点を解決するために、図４を参照すれば、放電セル１８０の内側に対向する突出電極１３１ａ、１３２ａの幅ａが前記溝１４５の幅ｂより広く形成されている。また、溝１４５は、それぞれ互いに対を構成する突出電極１３１ａ、１３２ａの間に形成され、各放電セル１８０に配置された突出電極１３１ａ、１３２ａ及び溝１４５は、互いに整列されるように配置されている。従って、突出電極の頂点部分１５１、１５２に対応する部分に溝１４５が形成されていないので、放電状態が不安定になる問題が解消される。特に、突出電極１３１ａ、１３２ａ自体による電界分布は、頂点部分１５１、１５２で電界が大きく、エッジ部分１６１、１６２で電界が小さいが、溝１４５によってエッジ部分１６１、１６２の電界が補強される構造になるので、全体的な電界均一性が大きく向上する。従って、放電状態が安定し、放電が円滑に発生するので、発光効率が向上する長所を有する。
【００３８】
ＰＤＰ１００は、前面誘電体層１１５を覆う保護層１１６をさらに備えることが好ましい。保護層１１６は、放電時荷電粒子と電子とが前面誘電体層１１５に衝突して前面誘電体層１１５が損傷されることを防止する。また、保護層１１６は、放電時に２次電子を多量に放出して、プラズマ放電を円滑にする。このような機能を有する保護層１１６は、２次電子放出係数が高く、可視光透過率が高い物質を用いて形成される。保護層１１６は、前面誘電体層１１５が形成された後に、主にスパッタリング法、電子ビーム蒸着法で薄膜として形成される。
【００３９】
前面基板１１１に対向する背面基板１２１上には、アドレス電極１２２が配置されている。アドレス電極１２２は、Ｘ電極１３１及びＹ電極１３２と交差するように放電セル１８０を横切って延長される。
【００４０】
アドレス電極１２２は、Ｘ電極１３１とＹ電極１３２との間の維持放電をより容易にするためのアドレス放電を起こすためのものであって、より詳しくは、維持放電が起こるための電圧を低下させる役割を果たす。アドレス放電は、Ｙ電極１３２とアドレス電極１２２との間に起こる放電であって、アドレス放電が終了すれば、Ｙ電極１３２側とＸ電極１３１側とに壁電荷が蓄積され、これによりＸ電極１３１とＹ電極１３２との間の維持放電がより容易になる。
【００４１】
背面基板１２１上には、アドレス電極１２２を埋め込むように背面誘電体層１２５が形成されている。背面誘電体層１２５は、放電時に荷電粒子または電子がアドレス電極１２２に衝突してアドレス電極１２２を損傷させることを防止しながら、電荷を誘導できる誘電体として形成される。かかる誘電体としては、ＰｂＯ、Ｂ２Ｏ３、ＳｉＯ２などがある。
【００４２】
背面誘電体層１２５上に形成された隔壁１３０の両側面と隔壁１３０が形成されていない背面誘電体層１２５の前面とには、赤色、緑色、青色の発光蛍光体層１２６が配置されている。蛍光体層１２６は、紫外線を受けて可視光線を発生する成分を有するが、赤色発光放電セルに形成された蛍光体層は、Ｙ（Ｖ，Ｐ）Ｏ４：Ｅｕのような蛍光体を含み、緑色発光放電セルに形成された蛍光体層は、Ｚｎ２ＳｉＯ４：Ｍｎ，ＹＢＯ３：Ｔｂのような蛍光体を含み、青色発光放電セルに形成された蛍光体層は、ＢＡＭ：Ｅｕのような蛍光体を含む。
【００４３】
また、放電セル１８０には、ネオン（Ｎｅ）、キセノン（Ｘｅ）などが混合された放電ガスが充填され、上記のように放電ガスが充填された状態で、前面基板１１１及び背面基板１２１の縁部に形成されたフリットガラスのような密封部材によって、前面基板１１１及び背面基板１２１が互いに封合されて結合される。
【００４４】
前述したように構成された本発明によるプラズマディスプレイパネル１００の動作を説明すれば次の通りである。
【００４５】
ＰＤＰ１００で発生するプラズマ放電は、アドレス放電と維持放電とに分けられる。アドレス放電は、アドレス電極１２２とＹ電極１３２との間にアドレス放電電圧が印加されることによって起こり、このアドレス放電の結果として維持放電が起こる放電セル１８０が選択される。
【００４６】
その後、選択された放電セル１８０のＸ電極１３１とＹ電極１３２との間に、維持電圧が印加される。このとき、前面誘電体層１１５に形成された溝１４５に電界が集中し放電電圧が低下する。なぜならば、Ｘ電極１３１とＹ電極１３２との間の放電経路が縮少され、この部分に電場が強く発生して電界が集中し、電荷、荷電粒子、励起シードなどの密度が高いためである。特に、突出電極１３１ａ、１３２ａの形状による電界分布と溝１４５による電界分布とによって、対を構成する突出電極１３１ａ、１３２ａの間に電界分布が均一になるので、放電安定性が向上する。
【００４７】
維持放電時に励起された放電ガスのエネルギー準位が低くなりながら紫外線が放出される。そして、この紫外線が放電セル１８０内に塗布された蛍光体層１２６を励起させるが、この励起された蛍光体層１２６のエネルギー準位が低くなりながら可視光が放出され、この可視光が前面誘電体層１１５と前面基板１１１とを透過して射出されながら、ユーザーが認識できる画像を形成する。
【００４８】
以上説明したように、本実施形態にかかるＰＤＰは以下の効果を有する。第一に、溝１４５内に電界が集中し、放電経路が減少するため、放電電圧が低下し、発光効率が向上するという長所を有する。第二に、突出電極１３１ａ、１３２ａの形状による電界分布と溝による電界分布とによって、対を構成する突出電極の間で電界分布が均一になるので、放電安定性が向上し、放電効率が向上する。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明のＰＤＰは、ディスプレイ関連の技術分野に好適に用いられる。
【図面の簡単な説明】
【００５１】
【図１】従来技術によるＰＤＰの内部構造を示す垂直断面図である。
【図２】本発明の一実施形態にかかるＰＤＰの分離斜視図である。
【図３】図２のＩＩＩ−ＩＩＩ線に沿って取った断面図である。
【図４】図２に示す放電セル、電極及び溝の配置位置を示す配置図である。
【図５】図４と異なる形状を有する電極を示し、図４に対応する配置図である。
【符号の説明】
【００５２】
１００    ＰＤＰ
１１１    前面基板
１１２    維持電極対
１１５    前面誘電体層
１１６    保護層
１２１    背面基板
１２２    アドレス電極
１２５    背面誘電体層
１２６    蛍光体層
１３０    隔壁
１３１、２３１    Ｘ電極
１３２、２３２    Ｙ電極
１３１ａ、１３２ａ、２３１ａ、２３２ａ    突出電極
１３１ｂ、１３２ｂ、２３１ｂ、２３２ｂ    バス電極
１４５    溝
１５０    上板
１６０    下板
１８０    放電セル
ａ    突出電極の幅
ｂ    溝の幅
【図１】
2007184240.tif 000003
【図２】
2007184240.tif 000004
【図３】
2007184240.tif 000005
【図４】
2007184240.tif 000006
【図５】
2007184240.tif 000007